(57)【特許請求の範囲】
【請求項１】
鞄やポケットに入れて持ち運ばれたり机上等に置かれたりする電子機器端末の、その表面である配置面からくぼむように形成され且つ押圧されることで操作される操作部に対して貼着される内側貼着体と、内側貼着体の外側に接触するか、または外側近傍位置で電子機器端末に貼着される外側貼着体とを備え、内側貼着体は操作部に貼着した状態で、配置面から突出するものであり、外側貼着体は、内側貼着体における配置面からの突出高さに比べて突出高さを高くした突出部分を備えたことを特徴とする電子機器端末における操作部の誤操作防止具。
【請求項２】
外側貼着体は一体的に環状に形成され、突出部分は一体的に環状に形成されるか、または外側貼着体の周方向に離間して複数個形成された請求項１記載の電子機器端末における操作部の誤操作防止具。
【請求項３】
外側貼着体は互いに周方向に離間した複数の貼着体部を備えて環状に形成され、該複数の貼着体部のそれぞれが突出部分を備えた請求項１記載の電子機器端末における操作部の誤操作防止具。
【請求項４】
外側貼着体の内径寸法は内側貼着体の外径寸法に略一致していることを特徴とする請求項１乃至請求項３の何れか１項に記載の電子機器端末における操作部の誤操作防止具。
【請求項５】
外側貼着体は環状の本体部と、該本体部から外径側へ膨出させる膨出部分とを備え、突出部分を本体部及び膨出部分の少なくとも何れか一方に備えたことを特徴とする請求項１に記載の電子機器端末における操作部の誤操作防止具。
【請求項６】
前記操作部が、前記配置面上に一つだけ設けられたボタンである請求項２乃至請求項５の何れか１項に記載の電子機器端末における操作部の誤操作防止具。
【発明の詳細な説明】
【技術分野】
【０００１】
本発明は、電子機器端末のホームボタン等の操作部に取付けられる誤操作防止具に関する。
【背景技術】
【０００２】
近年、スマートフォンとして、ｉＰｈｏｎｅ、ｉＰａｄ、ｉＰｏｄ ｔｏｕｃｈ（登録商標）等と称される電子機器端末が提案されている（例えば、下記特許文献１参照）。この種の電子機器端末は、ホームボタンに代表される操作部を備えている。このような操作部は押圧して操作されるもので、誤操作されにくいように、電子機器本体の表面からわずかにくぼんで設けられている。
【先行技術文献】
【特許文献】
【０００３】
【特許文献１】特開２０１２−１５５６１８号公報
【発明の概要】
【発明が解決しようとする課題】
【０００４】
しかしながら、上記従来の電子機器端末の操作部は、電子機器本体の表面からわずかにくぼんで設けられており、くぼんでいる分だけ手指での押圧操作がしにくい。そこで、例えば操作部に相当する領域に貼着する貼着体（ステッカー）が提案されている。この貼着体は、操作部に貼着した状態で、電子機器本体の表面に対して突出するものである。このような貼着体を操作部に貼着することで、操作部の押圧操作を、貼着体を介して行うことになるから、操作部の押圧操作がし易くなる。そしてこの種の電子機器端末は、鞄やポケットに入れて持ち運ばれたり、机上等に置かれたりする。
【０００５】
ところで、この種の電子機器端末は、持ち運ばれたり、机上に置かれたりする。そして、貼着体は、操作部に貼着した状態で電子機器本体の表面から突出するものである。このため、持ち運ばれたり、机上に置かれたりした際に、手指以外の別の物によって貼着体を介して操作部が不測に押圧されてしまう場合がある。そうなると、例えば、発話解析・認識インターフェースが不測に起動してしまうなど、不都合が発生する。
【０００６】
そこで本発明は、電子機器端末の操作部が不測に押圧操作されてしまうのを防止可能な誤操作防止具の提供を目的とする。
【課題を解決するための手段】
【０００７】
本発明の電子機器端末における操作部の誤操作防止具は、鞄やポケットに入れて持ち運ばれたり机上等に置かれたりする電子機器端末の、その表面である配置面からくぼむように形成され且つ押圧されることで操作される操作部に対して貼着される内側貼着体と、内側貼着体の外側に接触するか、または外側近傍位置で電子機器端末に貼着される外側貼着体とを備え、内側貼着体は操作部に貼着した状態で、配置面から突出するものであり、外側貼着体は、内側貼着体における配置面からの突出高さに比べて突出高さを高くした突出部分を備えたことを特徴としている。
【０００８】
上記構成において、内側貼着体が操作部を配置した電子機器端末の配置面から突出するものであっても、外側貼着体が、内側貼着体における配置面からの突出高さに比べて突出高さを高くした突出部分を備えたことにより、内側貼着体を不測に押圧しようとする物が内側貼着体に接触するのを、突出部分が内側貼着体の外側で邪魔をする。
【０００９】
本発明の誤操作防止具では、外側貼着体は一体的に環状に形成され、突出部分は一体的に環状に形成されるか、または外側貼着体の周方向に離間して複数個形成された構成を採用できる。この構成によれば、内側貼着体を不測に押圧しようとする物が内側貼着体に接触するのを、環状の突出部分が内側貼着体の外側で邪魔をする。
【００１０】
本発明の誤操作防止具では、外側貼着体は互いに周方向に離間した複数の貼着体部を備えて環状に形成され、該複数の貼着体部のそれぞれが突出部分を備えた構成を採用できる。この構成によれば、内側貼着体を不測に押圧しようとする物が内側貼着体に接触するのを、外側貼着体の周方向に離間して複数個形成された突出部分が内側貼着体の外側で邪魔をする。
【００１１】
本発明の誤操作防止具では、前記操作部が、前記配置面上に一つだけ設けられたボタンである構成を採用できる。また、本発明の誤操作防止具では、外側貼着体の内径寸法が内側貼着体の外径寸法に略一致した構成を採用できる。さらに、本発明の誤操作防止具では、外側貼着体は環状の本体部と、該本体部から外径側へ膨出させる膨出部分とを備え、突出部分を本体部及び膨出部分の少なくとも何れか一方に備えた構成を採用できる。
【発明の効果】
【００１２】
本発明の誤操作防止具によれば、内側貼着体が操作部を配置した電子機器端末の配置面から突出するものであっても、外側貼着体が、内側貼着体における配置面からの突出高さに比べて突出高さを高くした突出部分を備えたことにより、内側貼着体を不測に押圧しようとする物が内側貼着体に接触するのを突出部分が内側貼着体の外側で邪魔をすることで、電子機器端末の操作部が不測に押圧操作されてしまうのを防止可能となる。
【図面の簡単な説明】
【００１３】
【図１】本発明の誤操作防止具の第一の実施形態であって電子機器端末へ装着しようとする場合の斜視図である。
【図２】同誤操作防止具の平面図（表側からの図）である。
【図３】同背面図（裏側からの図）である。
【図４】同図２のＡ−Ａ線断面図（側面断面図）であり、誤操作防止具の使用状態を表している。
【図５】本発明の誤操作防止具の第二の実施形態であって誤操作防止具の平面図（表側からの図）である。
【図６】同誤操作防止具における外側貼着体の表側からの斜視図である。
【図７】同外側貼着体の裏側からの斜視図である。
【図８】同図５のＢ−Ｂ線断面図であり、外側貼着体の表側からの斜視図である。
【図９】同位置合わせ用突片位置での側面断面図である。
【図１０】同図５のＢ−Ｂ線断面図である。
【図１１】本発明の別の実施形態を表した外側貼着体の単体斜視図である。
【図１２】同側面断面図である。
【図１３】本発明の別の実施形態を表した誤操作防止具の平面図（表側からの図）である。
【図１４】同外側貼着体の背面図（裏側からの図）である。
【図１５】本発明の別の実施形態を表した誤操作防止具の平面図（表側からの図）である。
【図１６】本発明の別の実施形態を表した誤操作防止具の側面断面図である。
【発明を実施するための形態】
【００１４】
以下、本発明の誤操作防止具の一実施形態を、図面を参照しつつ説明する。まず、図１ないし図４を参照して誤操作防止具１の第一の実施形態を説明する。図１ないし図３に示すように、誤操作防止具１は、ｉＰｈｏｎｅ、ｉＰａｄ、ｉＰｏｄ ｔｏｕｃｈ（登録商標）等に代表される電子機器端末２のホームボタン（操作部に相当する）が不測に押圧操作されるのを、回避あるいは防止するためのものである。
【００１５】
ホームボタン３は、電子機器端末２の表面、すなわち、画面４を備えた面である配置面５上に、画面４に隣り合うよう配置されている。ホームボタン３は円形に形成されている。ホームボタン３は押圧されることで操作され、押圧操作されることで、ホーム画面やホームページ等にアクセスすることができるようになる。
【００１６】
図４に示すように、誤操作防止具１は、ホームボタン３の表面側に裏面側が貼着される内側貼着体６と、内側貼着体６の外側（内側貼着体６に対して径方向外方）近傍位置で、電子機器端末２の配置面５に裏面側が貼着される外側貼着体７とを備えている。
【００１７】
内側貼着体６は、ホームボタン３上に貼着した状態で、配置面５から突出するもので、中心側が盛り上がった円形に形成されている。貼着には、例えば両面粘着テープが用いられる。内側貼着体６の直径はホームボタン３の直径に略一致している。
【００１８】
図１ないし図３に示すように、外側貼着体７は、環状（円環状）に形成されている。外側貼着体７の内径寸法は、内側貼着体６の外径寸法に比べてわずかに大きく設定されている。すなわち、内側貼着体６の径方向外方に外側貼着体７を配置した際に、内側貼着体６の外周端と外側貼着体７の内周端との間には径方向に沿うわずかな離間幅８が形成される。
【００１９】
図４に示すように、外側貼着体７は、配置面５に貼着される環状で平板状の本体部９と、本体部９の表面側に一体的に形成された突出部分１０とを備えている。突出部分１０は本体部９の環状形状に倣うよう環状に形成されている。さらに具体的に、突出部分１０の表面側において径方向内方縁部および径方向外方縁部には、面取り１０ａが施され、突出部分１０の表面は平坦面である環状平面１０ｂである。なお、この場合の面取り形状は、環状中心側ほどホームボタン３に向けて傾斜する湾曲した傾斜面である。
【００２０】
外側貼着体７の配置面５への貼着状態において、本体部９における配置面５からの突出高さｈ１と、内側貼着体６をホームボタン３に貼着した際の内側貼着体６の配置面５からの突出高さｈ２とは略一致している。突出部分１０における配置面５からの突出高さｈ３と、内側貼着体６の配置面５からの突出高さｈ２とでは、突出部分１０の突出高さｈ３のほうが、内側貼着体６の突出高さに比べて高くなる。なお、外側貼着体７において、突出部分１０の突出高さｈ３とは、配置面５から突出部分１０の表面（環状平面１０ｂ）までの高さである。
【００２１】
上記構成において、誤操作防止具１では、まず内側貼着体６をホームボタン３の表面に貼着し、その後に外側貼着体７を配置面５に貼着するようにして、電子機器端末２に取付けるようにすると、内側貼着体６と外側貼着体７とが径方向で重ならないように取付け易い。この際、内側貼着体６の径方向外方に外側貼着体７を配置した際に、内側貼着体６の外周端と外側貼着体７の内周端との間には径方向に沿うわずかな離間幅８が形成されるよう内側貼着体６の外径寸法と外側貼着体７の内径寸法とが設定されているから、内側貼着体６と外側貼着体７とが径方向で重ならないように容易に取付けることができる。
【００２２】
誤操作防止具１では、内側貼着体６がホームボタン３を配置した電子機器端末２の配置面５から突出するものであるから、ホームボタン３が配置面５からわずかにくぼんでいても、ユーザが手指Ｆで内側貼着体６を押圧することで、内側貼着体６を介して、ホームボタン３を押圧操作することができる（図４参照）。
【００２３】
内側貼着体６によってホームボタン３は押圧操作されるようになっている一方で、内側貼着体６の外側には、外側貼着体７が配置されている。この外側貼着体７には、本体部９から突出する環状の突出部分１０を備えており、突出部分１０における配置面５からの突出高さｈ３と、内側貼着体６の配置面５からの突出高さｈ２とでは、突出部分１０の突出高さｈ３のほうが、内側貼着体６の突出高さに比べて高くなっている。
【００２４】
ところで、電子機器端末２は、持ち運ばれたり、机上に置かれたりする。そして、内側貼着体６をホームボタン３に貼着したのみでは、電子機器端末２が持ち運ばれたり、机上に置かれたりした際に、手指Ｆ以外の別の物によってホームボタン３が内側貼着体６を介して不測に押圧操作されてしまう場合がある。
【００２５】
しかしながら、外側貼着体７には、本体部９から突出する環状の突出部分１０を備えており、突出部分１０における配置面５からの突出高さｈ３と、内側貼着体６の配置面５からの突出高さｈ２とでは、突出部分１０の突出高さｈ３のほうが、内側貼着体６の突出高さに比べて高くなっている。このため、手指Ｆ以外の物が内側貼着体６に接触するのを、突出部分１０が邪魔をする。
【００２６】
あるいは手指Ｆ以外の物が内側貼着体６に接触したとしても、内側貼着体６がそれ以上押圧される状態を突出部分１０が邪魔をする。したがって、電子機器端末２のホームボタン３が不測に押圧操作されてしまう状態が抑えられて、ホームボタン３の誤操作が防止可能となる。そして、内側貼着体６を手指Ｆで押圧する際に、手指Ｆあるいは爪が面取り１０ａに当たって支持され、内側貼着体６が押圧し易くなる。
【００２７】
次に、第二の実施形態に係る誤操作防止具１を、図５ないし図１０を参照して説明する。第二の実施形態に係る誤操作防止具１のうち、第一の実施形態と異なる部分は、外側貼着体７の構造である。したがって、本実施形態では、外側貼着体７の構造を主に説明する。
【００２８】
図５ないし図７に示すように、本実施形態に係る外側貼着体７は環状に形成されている。図８ないし図１０に示すように、本体部９が、配置面側環状部１５と、配置面側環状部１５の表面側に一体的に形成された表面側環状部１６とを備えている。
【００２９】
配置面側環状部１５および表面側環状部１６は、ともに外径寸法は同一に形成されている。配置面側環状部１５と表面側環状部１６との内径寸法を比べると、配置面側環状部１５のほうが大きく形成されている。配置面側環状部１５の内周面に、位置合わせ用突片１７が一体的に形成されている。位置合わせ用突片１７は、表面側環状部１６の内周面１６ａと面一となる位置合わせ面１７ａを備え、位置合わせ用突片１７は、配置面側環状部１５の内周面から内径側へ向けて突出するよう内周面に一体的に形成されている。位置合わせ面１７ａどうしを連続させた仮想の内径寸法は、内側貼着体６の外径寸法に略一致している。
【００３０】
表面側環状部１６の表面に、半球状の小突起１８が周方向に並べて多数個一体的に形成されている。小突起１８の周方向への並び方向の途中に、小突起１８に比べて大径で半球状の大突起１９が複数個、この場合では周方向に等間隔に四個配置されている。これら小突起１８および大突起１９は装飾的意味合いを有する一方で、特に大突起１９は、突出部分に相当する部分である。したがって、図９に示すように、配置面５を基準とした内側貼着体６の突出高さｈ２と、大突起１９の突出高さｈ４とでは、大突起１９の突出高さｈ４が高く設定されている。
【００３１】
表面側環状部１６の径方向内方縁部は、環状中心側ほどホームボタン３に向けて傾斜する円錐台状の傾斜面１６ｂである。すなわち、大突起１９の内径側が、ホームボタン３に向けて傾斜する傾斜面１６ｂである。
【００３２】
上記構成において、予め内側貼着体６をホームボタン３の表面に貼着しておき、外側貼着体７を貼着する際、位置合わせ面１７ａどうしを連続させた仮想の内径寸法は、内側貼着体６の外径寸法に略一致しているから、外側貼着体７を内側貼着体６に外嵌させるようにすれば、内側貼着体６と外側貼着体７とを同心とすることができる。
【００３３】
外側貼着体７には、本体部９から突出する大突起１９を複数個所に備えており、大突起１９における配置面５からの突出高さｈ４と、内側貼着体６の配置面５からの突出高さｈ２とでは、大突起１９の突出高さｈ４のほうが、内側貼着体６の突出高さｈ２に比べて高くなっている。このため、手指Ｆ以外の物が内側貼着体６に接触するのを、大突起１９が邪魔をする。
【００３４】
あるいは手指Ｆ以外の物が内側貼着体６に接触したとしても、内側貼着体６がそれ以上押圧される状態を、大突起１９が邪魔をする。したがって、電子機器端末２のホームボタン３が不測に押圧操作されてしまう状態を回避して、ホームボタン３の誤操作が防止可能となる。そして、内側貼着体６を手指Ｆで押圧する際に、手指Ｆあるいは爪が傾斜面１６ｂに当たって支持され、内側貼着体６が押圧し易くなる。
【００３５】
本発明は、上記実施形態に限られるものではなく、本発明の主旨を逸脱しない範囲で種々変形が可能である。その他、各部の具体的構成についても同様である。
【００３６】
例えば、図１１および図１２に表した外側貼着体７では、環状の外側貼着体７の表面を、内径側の内径側傾斜面７ａと、外径側傾斜面７ｂと、内径側傾斜面７ａおよび外径側傾斜面７ｂの間で連続する環状平面７ｃで形成し、内径側傾斜面７ａの径方向幅を外径側傾斜面７ｂの径方向幅に比べて大きく設定した構成としている。この構成のように、内径側傾斜面７ａの径方向幅を大きくすることで、手指Ｆあるいは爪を支持し易く、内側貼着体６の押圧操作がし易い。
【００３７】
上記各実施形態では、外側貼着体７は、単純な環状でなくてもよく、例えば図１３および図１４に示すように、外側貼着体７の外周面に、本体部９からさらに外径側へ膨出させる膨出部分２０を周方向に間を置いて形成して、動物を模した形状に形成することも考えられる。そして、膨出部分２０の表面の突出高さを、内側貼着体６の突出高さに比べて高くすることが考えられる。
【００３８】
あるいは、本体部９と膨出部分２０の突出高さを同一にして、この突出高さを内側貼着体６の突出高さに比べて高くするよう設定することが考えられる。本実施形態では、図１４に示すように、外側貼着体７（本体部９、膨出部分２０）は、外側縁部２１と内側縁部２２とを備え、表面側を閉じ、配置面５を開放した中空状に形成することができる。
【００３９】
上記各実施形態では、外側貼着体７は環状に一体物として形成された例を示した。しかしながら、図１５に示すように、外側貼着体７を複数の弧状の外側貼着体部２３から構成し、これら外側貼着体部２３が、電子機器端末２の表面に円周上に間欠的に配置される構成とすることもできる。これら外側貼着体部２３の表面の形状は、上記各実施形態の何れかにすることができる。
【００４０】
上記各実施形態では、外側貼着体７の表面側の突出部分の突出高さを同一とした例を示したが、図１６に示すように、外側貼着体７の表面側の突出部分の突出高さを、径方向一方側から他方側へ向けて緩やかに下傾斜させることも考えられる。すなわち、外側貼着体７の、配置面５から環状平面１０ｂまでの、径方向一方側での突出高さｈ５＞他方側での突出高さｈ６とすることが考えられる。この場合、突出高さｈ５＞突出高さｈ２であれば、内側貼着体６の突出高さｈ２＞突出高さｈ６でもよいし、突出高さｈ６＞突出高さｈ２であってもよい。
【００４１】
上記各実施形態では、内側貼着体６は、ホームボタン３の外径と略等しく設定した場合の例を示したが、ホームボタン３の外径より小さくてもよい。この場合、特に第二の実施形態では、外側貼着体７は、ホームボタン３の表面の外周部と配置面５に亘って貼着されることになる。すなわち、外側貼着体７の内径寸法がホームボタン３の外径寸法に比べてわずかに小さく設定される。
【００４２】
上記各実施形態では、操作部をホームボタン３とした例を示したが、本発明はホームボタン３の誤操作防止のみに用いられるものではなく、例えば、誤操作がされると、情報がネットワーク回線を通じて不特定の相手に流れたり、機器の電源がシャットダウンしたりするような操作部等に適用できる。
【００４３】
そして操作部が円形以外の、例えば、楕円形、三角形、四角形等であれば、内側貼着体の形状も操作部の形状に応じて倣わせてもよい。外側貼着体の形状も円環状に限らず、操作部の形状に応じて倣わせてもよい。あるいは外側貼着体は、内側貼着体の形状に対応することなく、それ自体を円形以外の、例えば平面視して楕円形、三角形、四角形等にアレンジできる。また、内側貼着体および外側貼着体は、金属製、合成樹脂製等、成形材料は特に定まっていないが、特に外側貼着体は、誤操作を邪魔するものであるから、所定の硬さが必要である。
【符号の説明】
【００４４】
１…誤操作防止具、２…電子機器端末、３…ホームボタン、５…配置面、６…内側貼着体、７…外側貼着体、７ａ…内径側傾斜面、７ｂ…外径側傾斜面、７ｃ…環状平面、８…離間幅、９…本体部、１０…突出部分、１７…位置合わせ用突片、１９…大突起、２０…膨出部分、２１…外側縁部、２２…内側縁部、２３…外側貼着体部、Ｆ…手指
【図１】
0005961596.tif 000002
【図２】
0005961596.tif 000003
【図３】
0005961596.tif 000004
【図４】
0005961596.tif 000005
【図５】
0005961596.tif 000006
【図６】
0005961596.tif 000007
【図７】
0005961596.tif 000008
【図８】
0005961596.tif 000009
【図９】
0005961596.tif 000010
【図１０】
0005961596.tif 000011
【図１１】
0005961596.tif 000012
【図１２】
0005961596.tif 000013
【図１３】
0005961596.tif 000014
【図１４】
0005961596.tif 000015
【図１５】
0005961596.tif 000016
【図１６】
0005961596.tif 000017